(57)【要約】【課題】  カード挿入用の領域を小さくすることができるとともに、携帯機器にスペースを多く必要とせずに装備することができ、端子を損傷することなく保護することができるカードコネクタを提供する。【解決手段】  コネクタ側接点１８を有する端子１６が固定され、カード挿入保持部１５を有するインシュレータ１１と、インシュレータ１１に組み付けられた外枠部材１２と、を備え、情報記録カード６０がカード挿入保持部１５に装着されるのに伴い、情報記録カード６０に有するカード側接点６３にコネクタ側接点１８が電気的に接続されるカードコネクタ１０であって、カード挿入保持部１５が、情報記録カード６０を長手方向に直交する幅方向から挿脱自在に形成され、端子１６が、情報記録カード６０の挿脱方向に対して傾斜して配置されている。【選択図】        図１
2008108455.tif 000002
【特許請求の範囲】
【請求項１】
予め定められた数のコネクタ側接点を有する端子が固定されたインシュレータと、該インシュレータに組み付けられる外枠部材と、カード挿入保持部と、を備え、
情報が収納されている情報記録カードが該カード挿入保持部に装着されるのに伴い、該情報記録カードに有するカード側接点に該コネクタ側接点が電気的に接続されて前記情報記録カードに収納されている情報を抽出するカードコネクタであって、
前記カード挿入保持部が前記情報記録カードを長手方向に直交する幅方向から挿脱自在に形成され、前記端子が該情報記録カードの挿脱方向に対して傾斜して配置されていることを特徴とするカードコネクタ。
【請求項２】
前記外枠部材が、前記インシュレータに重ねて組み付けられており、該インシュレータに前記カード挿入保持部が配置されていることを特徴とする請求項１に記載したカードコネクタ。
【請求項３】
前記外枠部材が、前記インシュレータに対向して組み付けられており、該外枠部材と該インシュレータとの間に前記カード挿入保持部が配置されていることを特徴とする請求項１に記載したカードコネクタ。
【請求項４】
少なくとも前記外枠部材及び前記インシュレータの一方に、前記カード挿入保持部に挿入された前記情報記録カードの一部が露出するカード抜き出し用切欠が形成されていることを特徴とする請求項１〜請求項３のいずれか一項に記載のカードコネクタ。
【請求項５】
前記カード挿入保持部が、トレーに収納された前記情報記録カードを挿脱自在であることを特徴とする請求項１〜請求項４のいずれか一項に記載のカードコネクタ。
【発明の詳細な説明】
【技術分野】
【０００１】
本発明は、例えば携帯電話等に装着することで個人情報を使うＳＩＭカード（subscriber identity module）等の情報記録カードの装着用に用いられるカードコネクタに関する。
【背景技術】
【０００２】
従来のカードコネクタとして、図５に示すように、基板５１上に固定されたコネクタ部品５２に装着され、一対のフレーム部材５３と、フレーム部材５３に固定されたプレート部材５４と、を備えてカード５５を長手方向から装着するようにしたカードコネクタ５０が知られている（例えば、特許文献１参照）。
【０００３】
従来の他のカードコネクタとして、コネクタに収容された接続端子を、カードの挿入方向に向けて配置したカードコネクタが知られている（例えば、特許文献２参照）。
【０００４】
【特許文献１】特開２００３−３１３０９号公報
【特許文献２】特開２００５−２７６５６０号公報
【発明の開示】
【発明が解決しようとする課題】
【０００５】
ところが、上記特許文献１に開示されたカードコネクタ５０においては、カード５５を長手方向にして装着するようにしているために、カード５５を収容するためのスペースがカード５５の長手方向に設けられており、カード５５を収容するためのスペースがカード５５の長さ分必要となって大きな領域を確保しなければならない。
【０００６】
また、このカードコネクタ５０が用いられる携帯電話等の携帯機器に、奥行き方向に長いスペースを必要とするために、携帯機器の自由度が限定され易い。
【０００７】
また、上記特許文献２に開示されたカードコネクタにおいては、接続端子がカードの挿入方向に向けて配置されているために、カードを挿入する際に、カードが衝突しないとは言えないとともに、カードが挿入されてきた際に、少なからず負荷がかかり、その場合に、接続端子に曲がりや折れを生じる虞がある。
【０００８】
本発明は、上述した事情に鑑みてなされたものであり、その目的は、カード挿入用の領域を小さくすることができるとともに、携帯機器にスペースを多く必要とせずに装備することができ、端子を損傷することなく保護することができるカードコネクタを提供することにある。
【課題を解決するための手段】
【０００９】
１）本発明に係るカードコネクタは、予め定められた数のコネクタ側接点を有する端子が固定されたインシュレータと、該インシュレータに組み付けられる外枠部材と、カード挿入保持部と、を備え、情報が収納されている情報記録カードが該カード挿入保持部に装着されるのに伴い、該情報記録カードに有するカード側接点に該コネクタ側接点が電気的に接続されて前記情報記録カードに収納されている情報を抽出するカードコネクタであって、前記カード挿入保持部が、前記情報記録カードを長手方向に直交する幅方向から挿脱自在に形成され、前記端子が、該情報記録カードの挿脱方向に対して傾斜して配置されていることを特徴としている。
【００１０】
上記１）に記載の発明によれば、カード挿入保持部が情報記録カードを長手方向に直交する幅方向から挿脱自在に形成されているために、情報記録カード挿入用の領域を小さくすることができるとともに携帯機器にスペースを多く必要とせずに装備することができる。また、端子が情報記録カードの挿脱方向に対して傾斜して配置されているために、端子がカードの挿入方向に向けて配置されている従来のものと比べて、端子を損傷することなく保護することができる。
【００１１】
２）また、本発明に係るカードコネクタは、上記１）に記載のカードコネクタであって、前記外枠部材が、前記インシュレータに重ねて組み付けられており、該インシュレータに前記カード挿入保持部が配置されていることを特徴としている。
【００１２】
上記２）に記載の発明によれば、外乱防止用のシールドとして機能する外枠部材がインシュレータに重ねて組み付けられて、インシュレータにカード挿入保持部が配置されることで、インシュレータの剛性が高められるので、捩れや曲げに強いカードコネクタを得ることができる。
【００１３】
３）また、本発明に係るカードコネクタは、上記１）に記載のカードコネクタであって、前記外枠部材が、前記インシュレータに対向して組み付けられており、該外枠部材と該インシュレータとの間に前記カード挿入保持部が配置されていることを特徴としている。
【００１４】
上記３）に記載の発明によれば、外乱防止用のシールドとして機能する外枠部材がインシュレータに対向して組み付けられて、外枠部材とインシュレータとの間にカード挿入保持部が配置されることで、外枠部材が情報記録カードに近接するので、外乱に対するシールド機能を、より強化することができる。
【００１５】
４）また、本発明に係るカードコネクタは、上記１）〜上記３）のいずれかに記載のカードコネクタであって、少なくとも前記外枠部材及び前記インシュレータの一方に、前記カード挿入保持部に挿入された前記情報記録カードの一部が露出するカード抜き出し用切欠が形成されていることを特徴としている。
【００１６】
上記４）に記載の発明によれば、カード挿入保持部に挿入されている情報記録カードを引き出す際に、少なくとも外枠部材及びインシュレータの一方に形成されているカード抜き出し用切欠を用いて情報記録カードを簡単に引き出すことができる。また、情報記録カードをカード挿入保持部に挿し込む際に、カード抜き出し用切欠を介して情報記録カードを確実に挿入させることができる。
【００１７】
５）また、本発明に係るカードコネクタは、上記１）〜上記４）のいずれかに記載のカードコネクタであって、前記カード挿入保持部が、トレーに収納された前記情報記録カードを挿脱自在であることを特徴としている。
【００１８】
上記５）に記載の発明によれば、情報記録カードが保護用のカバーとして機能するトレーに収納されている場合においても、そのトレーとともに情報記録カードをカード挿入保持部に挿脱できるので、トレーでもって比較的薄く小さい外形の情報記録カードの取り扱いを良好にすることができる。
【発明の効果】
【００１９】
本発明のカードコネクタによれば、カード挿入用に大きな領域を確保しなければならない、携帯機器の自由度が限定されやすい、接続端子に曲がりや折れを生ずる、という問題を解決でき、これにより、カード挿入用の領域を小さくすることができるとともに、携帯機器にスペースを多く必要とせずに装備することができ、端子を損傷することなく保護することができるという効果が得られる。
【発明を実施するための最良の形態】
【００２０】
以下、本発明に係る複数の好適な実施の形態例を図面に基づいて詳細に説明する。
【００２１】
（第１実施形態）
図１は本発明の第１実施形態に係るカードコネクタと情報記録カードとの外観斜視図である。
【００２２】
図１に示すように、本発明の第１実施形態であるカードコネクタ１０は、インシュレータ１１と、外枠部材１２と、を備え、情報記録カード６０を挿脱自在に保持する。
【００２３】
情報記録カード６０は、既存のＳＩＭカード（subscriber identity module）であり、長寸側の一対の端面６１と、短寸側の一対の端面６２と、を有する長方形の板状体である。情報記録カード６０は、図１に示す矢印方向であるカードコネクタ１０への挿入方向に沿って３個ずつで、カードコネクタ１０への挿入方向に直交する方向に２個ずつ配列された合計６個のカード側接点６３を備えている。情報記録カード６０は、電話番号、ユーザーＩＤ、料金等の通話契約情報や、個人メールアドレス等が、内蔵されている記録装置（ＲＡＭ）に保存されているとともに、情報の演算処理等を行うことができ、カード側接点６３から、それらの情報を抽出することができる。
【００２４】
インシュレータ１１は、導電性のない、例えば硬質の樹脂を用いて略コ字形に成形されている。インシュレータ１１は、平板状をなす本体１３の両側部に一対の側板１４を有しており、本体１３と側板１４とで囲まれていて情報記録カード６０の長寸側の一対の端面６１よりもわずかに大きい長さのカード挿入保持部１５を有し、６個の端子１６を備えている。また、インシュレータ１１は、カード挿入保持部１５の前面である情報記録カード６０の挿入側に、円弧形状に切除されたインシュレータ側カード抜き出し用切欠１７が形成されている。
【００２５】
端子１６は、不図示の本体がインシュレータ１１の本体１３に一体成形されており、情報記録カード６０のカード側接点６３に一致して配置されたコネクタ側接点１８を一端部に有し、回路基板接続部１９を他端部に有する略く字形状に形成されている。そのため、コネクタ側接点１８は、インシュレータ１１の本体１３の中央部に６分割で形成されている端子収容部２０内に、カードコネクタ１０の挿入方向に対して略４５度傾斜して、カードコネクタ１０の挿入方向に向けて配置されている。
【００２６】
外枠部材１２は、導電性のある、例えばステンレス等の鋼材を用いて略コ字形にプレス成形されており、外乱防止用のシールドとして機能する。外枠部材１２は、中央部にインシュレータ１１の端子収容部２０に一致する一対の接点窓２１が形成されており、インシュレータ側カード抜き出し用切欠１７に一致する外枠部材側カード抜き出し用切欠２２が形成されている。外枠部材１２は、インシュレータ１１に重ねて組み付けられており、端部に接地接続部２３を有する。
【００２７】
このようなカードコネクタ１０は、インシュレータ１１に外枠部材１２が外嵌成形されて不図示の回路基板上に組み付けられ、端子１６の回路基板接続部１９と、外枠部材１２の接地接続部２３と、が回路基板のプリント配線に、例えば半田付け等で電気的に接続されて、不図示の携帯機器等に装備される。
【００２８】
そして、長寸側の端面６１を先にしてカード側接点６３を上方に向けて情報記録カード６０がカード挿入保持部１５に挿入される。これに伴い、端子１６のコネクタ側接点１８が情報記録カード６０のカード側接点６３に電気的に接続され、回路基板に接続されている携帯機器の操作部の操作に応じて情報記録カード６０内の情報が抽出される。このとき、インシュレータ側カード抜き出し用切欠１７と外枠部材側カード抜き出し用切欠２２とを介して情報記録カード６０をカード挿入保持部１５に確実に挿入させることができる。
【００２９】
これに対して、情報記録カード６０をカード挿入保持部１５から抜き出すに際しては、インシュレータ側カード抜き出し用切欠１７と外枠部材側カード抜き出し用切欠２２とを介して情報記録カード６０を指で摘むなどすることで、カード挿入保持部１５から簡単に抜き出すことができる。
【００３０】
上述したように、第１実施形態のカードコネクタ１０によれば、カード挿入保持部１５が情報記録カード６０を長手方向に直交する幅方向から挿脱自在に形成されているために、情報記録カード６０の挿入用の領域を小さくすることができるとともに携帯機器にスペースを多く必要とせずに装備することができる。また、端子１６が情報記録カード６０の挿脱方向に対して傾斜して配置されているために、端子がカードの挿入方向に向けて配置されている従来のものと比べて、端子１６を損傷することなく保護することができる。
【００３１】
また、カードコネクタ１０によれば、外乱防止用のシールドとして機能する外枠部材１２がインシュレータ１１に重ねて組み付けられて、インシュレータ１１にカード挿入保持部１５が配置されるために、インシュレータ１１の剛性が高められるので、捩れや曲げに強いカードコネクタ１０を得ることができる。
【００３２】
また、カードコネクタ１０によれば、カード挿入保持部１５に挿入されている情報記録カード６０を引き出す際に、外枠部材１２及びインシュレータ１１に形成されている外枠部材側カード抜き出し用切欠２２及びインシュレータ側カード抜き出し用切欠１７を用いて情報記録カード６０を簡単に引き出すことができる。また、情報記録カード６０をカード挿入保持部１５に挿し込む際に、外枠部材側カード抜き出し用切欠２２及びインシュレータ側カード抜き出し用切欠１７を介して情報記録カード６０を確実に挿入させることができる。
【００３３】
（第２実施形態）
図２は本発明の第２実施形態に係るカードコネクタと情報記録カードとの外観斜視図、図３は図２のカードコネクタにおけるインシュレータの平面図である。尚、以下の各実施形態において、上述した第１実施形態と重複する構成要素や機能的に同様な構成要素等については、図中に同一符号あるいは相当符号を付すことによって説明を簡略化あるいは省略する。
【００３４】
図２、図３に示すように、本発明の第２実施形態であるカードコネクタ３０は、インシュレータ３１に外枠部材３２が対向して組み付けられて、外枠部材３２とインシュレータ３２との間にカード挿入保持部１５が形成されている。また、外枠部材３２には、半田付け用の開口部３３を有する。そして、情報記録カード６０がトレー６４に収容されている。
【００３５】
トレー６４は、情報記録カード６０の保護用のカバーとして機能するために、情報記録カード６０の反カード側接点６３の面と外周部とを覆う形状に形成されており、挿入方向の反対側に突部６５を有する。
【００３６】
トレー６４に収容された情報記録カード６０は、長寸側の端面６１を先にしてカード側接点６３を下方に向けてトレー６４とともにカード挿入保持部１５に挿入される。これに伴い、カード挿入保持部１５の下面において端子１６のコネクタ側接点１８が情報記録カード６０のカード側接点６３に電気的に接続される。この挿入に際しては、インシュレータ側カード抜き出し用切欠１７と外枠部材側カード抜き出し用切欠２２とを介して情報記録カード６０をカード挿入保持部１５に確実に挿入させることができる。
【００３７】
これに対して、トレー６４に収容された情報記録カード６０をカード挿入保持部１５から抜き出すに際しては、インシュレータ側カード抜き出し用切欠１７と外枠部材側カード抜き出し用切欠２２とを介してトレー６４の突部６５を指で引っ掛けるなどすることで、カード挿入保持部１５から簡単に抜き出すことができる。
【００３８】
第２実施形態のカードコネクタ３０は、第１実施形態と同様の作用効果を奏するが、特に、外乱防止用のシールドとして機能する外枠部材３２がインシュレータ３１に対向して組み付けられて、外枠部材３２とインシュレータ３１との間にカード挿入保持部１５が形成されることで、外枠部材３２が情報記録カード６０に近接するので、外乱に対するシールド機能を、より強化することができる。また、情報記録カード６０が保護用のカバーとして機能するトレー６４に収納されているため、そのトレー６４とともに情報記録カード６０をカード挿入保持部１５に挿脱できるので、トレー６４でもって比較的薄く小さい外形の情報記録カード６０の取り扱いを良好にすることができる。
【００３９】
（第３実施形態）
図４は本発明の第３実施形態に係るカードコネクタと情報記録カードとの外観斜視図である。
【００４０】
図４に示すように、本発明の第３実施形態であるカードコネクタ４０は、第１実施形態のカードコネクタ１０に、トレー６４に収容されている情報記録カード６０を挿脱するようにしている。
【００４１】
この場合、トレー６４に収容された情報記録カード６０は、長寸側の端面６１を先にしてカード側接点６３を上方に向けてトレー６４とともにカード挿入保持部１５に挿入される。これに伴い、カード挿入保持部１５の上面において端子１６のコネクタ側接点１８が情報記録カード６０のカード側接点６３に電気的に接続される。この挿入に際しては、インシュレータ側カード抜き出し用切欠１７と外枠部材側カード抜き出し用切欠２２とを介して情報記録カード６０をカード挿入保持部１５に確実に挿入させることができる。
【００４２】
これに対して、トレー６４に収容された情報記録カード６０をカード挿入保持部１５から抜き出すに際しては、インシュレータ側カード抜き出し用切欠１７と外枠部材側カード抜き出し用切欠２２とを介してトレー６４の突部６５を指で引っ掛けるなどすることで、カード挿入保持部１５から簡単に抜き出すことができる。
【００４３】
第３実施形態のカードコネクタ４０は、第１実施形態と同様の作用効果を奏するが、特に、情報記録カード６０が保護用のカバーとして機能するトレー６４に収納されているために、そのトレー６４とともに情報記録カード６０をカード挿入保持部１５に挿脱できるので、トレー６４でもって、比較的薄く小さい外形の情報記録カード６０の取り扱いを良好にすることができる。
【００４４】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００４５】
例えば、カード側接点の数は一例であって、情報量に応じた記録装置の容量等の変更に伴い増加或いは減少が可能である。もちろん、その場合、インシュレータの端子の数もカード側接点の数に応じて増加或いは減少されるのは言うまでもない。
【図面の簡単な説明】
【００４６】
【図１】本発明の第１実施形態に係るカードコネクタと情報記録カードとの外観斜視図である。
【図２】本発明の第２実施形態に係るカードコネクタと情報記録カードとの外観斜視図である。
【図３】図２のカードコネクタにおけるインシュレータの平面図である。
【図４】本発明の第３実施形態に係るカードコネクタと情報記録カードとの外観斜視図である。
【図５】従来のカードコネクタの概観図である。
【符号の説明】
【００４７】
１０，３０，４０  カードコネクタ
１１，３１        インシュレータ
１２，３２        外枠部材
１５              カード挿入保持部
１６              端子
１８              コネクタ側接点
６０              情報記録カード
６３              カード側接点
６４              トレー
【図１】
2008108455.tif 000003
【図２】
2008108455.tif 000004
【図３】
2008108455.tif 000005
【図４】
2008108455.tif 000006
【図５】
2008108455.tif 000007